(57)【要約】【課題】予約録画開始時の対象番組が予約設定時とは異なっていても予約録画が得られるようにしたデジタルデータ記録再生装置を提供すること。【解決手段】イベント判定部１２と予約時再選局部１３を設け、予約による選局時にはイベント処理を行わず、予約録画時の開始処理が終了した後、対象番組への再選局を行なってイベント処理が行えるようにしたもの。これにより、予約録画時の対象番組がユーザによる処理を必要とするものであった場合にも、録画開始処理は実行され、その後、ユーザ処理が行える。【選択図】  図２
2005006011.tif 000002
【特許請求の範囲】
【請求項１】
予約時刻とチャンネルなど予約録画に必要なデータを管理する予約テーブル手段と、前記データに基づいて予約録画処理を開始する予約管理手段と、チューナを制御する選局制御手段と、前記チューナによる予約選局の結果を判定する選局成否判定手段と、選局した番組にイベントが発生しているか否かを監視するイベント監視手段と、発生しているイベントの処理を行うかどうかを判定するイベント判定手段と、発生しているイベントの処理を実行するイベント処理手段と、選局とイベント処理の結果を管理する選局管理手段と、録画媒体を制御する記録媒体制御手段と、該記録媒体制御手段に録画開始を指示する録画制御手段と、予約録画処理の成否を管理する予約状況監視手段とを備え、
予約録画開始処理の過程ではイベントを無視するように構成したことを特徴とするデジタルデータ記録再生装置。
【請求項２】
予約時刻とチャンネルなど予約録画に必要なデータを管理する予約テーブル手段と、前記データに基づいて予約録画処理を開始する予約管理手段と、チューナを制御する選局制御手段と、前記チューナによる予約選局の結果を判定する選局成否判定手段と、選局した番組にイベントが発生しているか否かを監視するイベント監視手段と、発生しているイベントの処理を行うかどうかを判定するイベント判定手段と、発生しているイベントの処理を実行するイベント処理手段と、選局とイベント処理の結果を管理する選局管理手段と、録画媒体を制御する記録媒体制御手段と、該記録媒体制御手段に録画開始を指示する録画制御手段と、予約録画処理の成否を管理する予約状況監視手段と、予約録画処理終了後、予約選局したチャンネルに再選局させる予約時再選局手段と、再選局した番組にイベントが発生しているか否かを監視するイベント判定手段とを備え、
予約録画開始処理の過程ではイベント処理を行わず、録画開始後、通常選局のなかでイベント処理を実行するように構成したことを特徴とするデジタルデータ記録再生装置。
【請求項３】
予約時刻とチャンネルなど予約録画に必要なデータを管理する予約テーブル手段と、前記データに基づいて予約録画処理を開始する予約管理手段と、チューナを制御する選局制御手段と、前記チューナによる予約選局の結果を判定する選局成否判定手段と、選局した番組にイベントが発生しているか否かを監視するイベント監視手段と、発生しているイベントの処理を行うかどうかを判定するイベント判定手段と、発生しているイベントの処理を実行するイベント処理手段と、選局とイベント処理の結果を管理する選局管理手段と、録画媒体を制御する記録媒体制御手段と、該記録媒体制御手段に録画開始を指示する録画制御手段と、予約録画処理の成否を管理する予約状況監視手段と、予約録画処理終了後、予約選局したチャンネルに再選局させる予約時再選局手段と、再選局した番組にイベントが発生しているか否かを監視するイベント判定手段と、再選局時専用の選局制御手段とを備え、
イベント処理を実行するタイミングが、予約録画時だけ、選局処理実行中から録画開始後に移されるように構成したことを特徴とするデジタルデータ記録再生装置。
【発明の詳細な説明】
【０００１】
【発明の属する技術分野】
本発明は、予約録画機能を備えた画像データの記録装置に係り、特にデジタル放送を対象として予約録画を行うようにしたデジタルデータ記録再生装置に関する。
【０００２】
【従来の技術】
ＶＴＲ（ビデオ・テープ・レコーダ）やＤＶＤ（デジタル・ビデオ・ディスク）レコーダなどの画像記録装置では、通常、テレビジョン放送受信用のチューナを備え、所定の予約操作を施しておくことにより、指定されたチャネル（放送チャネル）の指定されたプログラムを自動的に記録（録画）することができるようにした機能、いわゆる予約録画機能が備えられているのが一般的である。
【０００３】
そこで、ＶＴＲなど一般的な予約録画機能付アナログ画像記録装置について、図６により説明すると、この場合、予約録画処理は、概略、以下のようにして行われる。なお、この図６は、アナログ画像記録装置において、予約録画処理に必要な部分を機能ブロックとして示したものである。
【０００４】
図６において、まず、予約テーブル１には、ユーザなどにより、予めチャネルなどの予約情報が記憶してある。そして、予約管理部２は、この予約テーブル１を時刻情報により検索し、取り出した予約情報に基づいて予約録画に必要な処理（これを予約録画処理という）を開始するのである。
【０００５】
まず、予約管理部２は、選局制御部３にチャンネルを通知する。そうすると、選局制御部３がチューナ４を制御し、指定されたチャンネルに選局させ、指定された番組（プログラム）が受信できるようにする（これを予約選局処理という）。そして、選局終了後、今度は録画制御部５に録画開始を指示する。
【０００６】
そこで、録画制御部５は、テープ制御部６に録画開始を指令し、これにより、テープ制御部６は記録媒体を制御して選局した番組の録画を開始し、録画開始処理の結果を録画制御部５に通知する。そして、録画制御部５は、通知された結果に基づいて録画開始処理の成否を判定し、判定結果を予約状況監視部７に通知する。
【０００７】
これにより、予約状況監視部７は、録画制御部５から入力される録画の成否に関する情報に基づいて予約録画処理の成否を判定し、予約テーブル１が保持している予約処理成否情報に書き込みを行い、結果を反映させるのである。
【０００８】
ところで、近年、従来のアナログ放送からデジタル放送への移行が進み、このため、デジタル放送を対象としたデジタル受信装置が使用されるようになっている。そこで、このようなデジタル放送受信装置の場合の選局処理について、図７により説明する。なお、この図７も、説明に必要な部分だけを機能ブロックとして示したものである。
【０００９】
図７において、このデジタル放送受信装置の場合、選局制御部３は、ユーザによるキー入力操作などにより選局指示を受けてチューナ４を制御し、これによりチューナ４が指示されたチャンネルに選局する。そして、選局制御部３は、選局終了後、選局成否判定部８に選局終了を通知する。
【００１０】
ところで、このようにデジタル放送を選局する場合、デジタル放送受信装置では、選局成否判定部８を設け、これによりチューナ４からの情報に基づいて、受信したトランスポートストリームＴＳの状態を解析し、選局の成否を判定してイベント監視部９に通知するようになっている。
【００１１】
そして、このイベント監視部９は、チューナ４で受信したトランスポートストリームＴＳに含まれる番組情報に基づいて、選局した番組にイベントがあるか否かを判定し、結果をイベント処理部１０に通知する。
【００１２】
ここで、イベントとは、緊急放送、臨時放送、ＰＰＶ（Ｐａｙ  Ｐｅｒ  ｖｉｅｗ：ペイ・パー・ビュー）放送、視聴年齢制限放送など、通常の放送とは異なっていて、ユーザに対してダイアログ表示などの処理を行う必要がある番組のことである。
【００１３】
そして、イベント処理部１０は、このイベントが受信されたとき、選局結果管理部１１からの情報に基づいて、当該イベントに必要とする処理を行なう。例えばＰＰＶ放送や視聴年齢制限放送などの場合は、ユーザによる番組購入の有無など、ユーザの意志表示に必要なユーザインターフェイスを提示し、ユーザによる入力を要求する。
【００１４】
このとき、ユーザによる適切な入力が受け付けられた場合、選局は成功したことになり、他方、ユーザによる入力が不適切なものであったり、一定時間を過ぎても入力がなかった場合、選局は失敗したことになる。
【００１５】
そして、このようなイベント処理結果は、イベント処理部１０から選局結果管理部１１に通知され、これにより選局結果管理部１１は、自己が管理している選局に関するデータベースを更新し、以後の処理に備えるのである。
【００１６】
ここで、画像記録装置をデジタル対応とし、これに図７で説明したデジタル受信装置を組合わせたデジタル放送録画装置における予約録画処理は、図８に示すようになる。
【００１７】
ここで、この図８は、図６の選局制御部３と録画制御部５の間に、図７の選局成否判定部８とイベント監視部９、イベント処理部１０、それに選局結果管理部１１を設けたものに相当する。
【００１８】
次に、この図８のデジタル放送録画装置おける処理の流れについて、図９を参照しながら説明する。
【００１９】
まず、予約管理部２は、予約テーブル１が管理している予約情報と時刻情報により予約録画を開始し（図９の処理▲１▼）、選局制御部３にチャンネルを通知し、チューナ４に指定された番組の選局を行わせる（図９の処理▲２▼）。そして、選局終了後、選局制御部３は、選局成否判定部８に選局終了を通知する。
【００２０】
このとき、イベント監視部９は、チューナ４で受信したトランスポートストリームＴＳに含まれる番組情報に基づいて、選局した番組にイベントがあるか否かを判定し（図９の処理▲３▼）、イベントの種類や関連情報（番組の購入価格や制限年齢など）からなる判定結果をイベント処理部１０に通知する。
【００２１】
そして、イベント処理部１０は、このイベントが受信されたとき、選局結果管理部１１からの情報に基づいて、当該イベントに必要とする処理（後述のイベント処理）を行なう（図９の処理▲４▼）。
【００２２】
このとき、特にＰＰＶ放送や視聴年齢制限放送などの場合、イベント処理部１０は、通知された判定結果の中のイベントの種類に応じてユーザに表示するダイアログを選択し、関連情報を用いてダイアログに表示すべき文字列を生成し、こうして生成したダイアログをユーザによる番組購入処理などを促すためのユーザインターフェイスとして提示し、ユーザによる入力を要求する。
【００２３】
そして、ユーザによる適切な入力が受け付けられたらイベント処理は成功で、選局が成功したことになり、他方、一定時間を過ぎてもユーザから入力がなかったり、ユーザによる入力が不適切なものであった場合、イベント処理は失敗で、選局が失敗したことになる。
【００２４】
そして、このようなイベント処理の結果は、イベント処理部１０から選局結果管理部１１に通知され、これにより選局結果管理部１１は、自己が管理している選局に関するデータベースを更新すると共に、選局に成功した場合だけ録画制御部５に録画開始を指示する（図９の処理▲５▼）。他方、選局に失敗した場合は、予約状況監視部７にその旨通知する。
【００２５】
ここで、選局結果管理部１１が管理しているデータベースとは、選局処理の成否やイベント処理の結果（購入の有無、年齢制限解除の有無、解除した年齢など）などである。
【００２６】
そこで、録画制御部５は、録画開始の指示を受けたとき、テープ制御部６に録画開始を指令し、これにより、テープ制御部６は記録媒体を制御して選局した番組の録画を開始し、このときの録画開始処理の結果を予約状況監視部７に通知する。
【００２７】
一方、イベントが受信されなかったときは、イベント処理は行わず、録画制御部５に直ちに録画開始が指示される（図９の処理▲５▼）。
【００２８】
これにより、予約状況監視部７は、録画制御部５から入力される録画の成否に関する情報に基づいて予約録画処理の成否を判定し、予約テーブル１に結果を反映させることになる（図９の処理▲６▼）。
【００２９】
しかし、この図８で説明したデジタル放送録画装置は、予約録画の対象がＰＰＶ番組や視聴年齢制限のある番組など、ユーザによる処理を必要とするものであった場合に問題が発生する。
【００３０】
そこで、この問題について、図８を用いて説明すると、いま、予約録画の対象がユーザによる処理を必要とするもので、予約による選局中のイベント処理部１０がユーザからの入力待ちにあるとき、ここでいつまでもユーザが入力しないとタイムアウトになり、選局が失敗してしまう可能性がある。
【００３１】
そうすると、この場合、上記したデジタル放送録画装置では、以降の録画処理は行われず、対象番組の予約録画は失敗したことになってしまう。そこで、ＰＰＶ放送や視聴年齢制限放送などの予約録画を、上述したデジタル放送録画装置により確実に得るためには、ユーザは、イベントの発生に備えて当該デジタル放送録画装置の近くに常時待機している必要があり、極めて不便である。
【００３２】
また、このようなデジタル放送録画装置では、録画開始時での記録の頭切れを無くすため、予約録画処理を実際の予約時刻よりも早く開始させるようにしたものがあるが、このようなデジタル放送録画装置の場合、予約録画対象番組の前の番組がユーザによる処理を必要とするものであったとすると、最初から予約録画が開始されないという事態が発生してしまう可能性もある。
【００３３】
そこで、例えば、予約設定に際して当該番組の情報を取得し、イベントの場合は、予約時点で上述のようなユーザによる処理を行なうようにしたデジタル放送受信装置が、従来技術として知られている（例えば、特許文献１参照。）。
【００３４】
しかして、これでも、予約設定時点で対象番組のイベントに関する情報が取得できなかった場合が課題として残る。何故なら、デジタル放送では、各番組が放送される以前、予め放送予定番組についての情報が逐次、パケットとして少しづつ送信され、完全に情報が揃ったものになってゆくので、予約設定時点で対象番組のイベントに関する情報が取得できるとは限らないからである。
【００３５】
そこで、更に、イベント情報を監視して、予約されている番組のイベント情報が取得でき次第、ユーザ処理を行なうようにしたデジタル放送受信装置も、従来技術として知られている（例えば、特許文献２参照。）。
【００３６】
【特許文献１】
特開平１０−１９１２２１号公報
【００３７】
【特許文献２】
特開平１０−２００８６５号公報
【００３８】
【発明が解決しようとする課題】
上記従来技術は、番組変更などにより最終的に番組開始時点までイベント情報が取得できなかった場合について配慮がされておらず、この場合、予約設定時点でイベント処理ができず、予約録画が失敗に終わってしまう可能性があるという問題があった。
【００３９】
本発明は、このような問題に鑑みてなされたもので、その目的は、予約録画開始時の対象番組が予約設定時とは異なっていても予約録画が得られるようにしたデジタルデータ記録再生装置を提供することにある。
【００４０】
【課題を解決するための手段】
上記目的は、予約時刻とチャンネルなど予約録画に必要なデータを管理する予約テーブル手段と、前記データに基づいて予約録画処理を開始する予約管理手段と、チューナを制御する選局制御手段と、前記チューナによる予約選局の結果を判定する選局成否判定手段と、選局した番組にイベントが発生しているか否かを監視するイベント監視手段と、発生しているイベントの処理を行うかどうかを判定するイベント判定手段と、発生しているイベントの処理を実行するイベント処理手段と、選局とイベント処理の結果を管理する選局管理手段と、録画媒体を制御する記録媒体制御手段と、該記録媒体制御手段に録画開始を指示する録画制御手段と、予約録画処理の成否を管理する予約状況監視手段とを備え、予約録画開始処理の過程ではイベントを無視するようにして達成される。
【００４１】
また、上記目的は予約時刻とチャンネルなど予約録画に必要なデータを管理する予約テーブル手段と、前記データに基づいて予約録画処理を開始する予約管理手段と、チューナを制御する選局制御手段と、前記チューナによる予約選局の結果を判定する選局成否判定手段と、選局した番組にイベントが発生しているか否かを監視するイベント監視手段と、発生しているイベントの処理を行うかどうかを判定するイベント判定手段と、発生しているイベントの処理を実行するイベント処理手段と、選局とイベント処理の結果を管理する選局管理手段と、録画媒体を制御する記録媒体制御手段と、該記録媒体制御手段に録画開始を指示する録画制御手段と、予約録画処理の成否を管理する予約状況監視手段と、予約録画処理終了後、予約選局したチャンネルに再選局させる予約時再選局手段と、再選局した番組にイベントが発生しているか否かを監視するイベント判定手段とを備え、予約録画開始処理の過程ではイベント処理を行わず、録画開始後、通常選局のなかでイベント処理を実行するようにして達成される。
【００４２】
更に、上記目的は、予約時刻とチャンネルなど予約録画に必要なデータを管理する予約テーブル手段と、前記データに基づいて予約録画処理を開始する予約管理手段と、チューナを制御する選局制御手段と、前記チューナによる予約選局の結果を判定する選局成否判定手段と、選局した番組にイベントが発生しているか否かを監視するイベント監視手段と、発生しているイベントの処理を行うかどうかを判定するイベント判定手段と、発生しているイベントの処理を実行するイベント処理手段と、選局とイベント処理の結果を管理する選局管理手段と、録画媒体を制御する記録媒体制御手段と、該記録媒体制御手段に録画開始を指示する録画制御手段と、予約録画処理の成否を管理する予約状況監視手段と、予約録画処理終了後、予約選局したチャンネルに再選局させる予約時再選局手段と、再選局した番組にイベントが発生しているか否かを監視するイベント判定手段と、再選局時専用の選局制御手段とを備え、イベント処理を実行するタイミングが、予約録画時だけ、選局処理実行中から録画開始後に移されるようにして達成される。本発明によれば、予約時刻に到達することで予約録画処理が開始され、まず、予約対象のチャンネルに選局が行われる。選局完了後、選局した番組にイベントがあるかどうかを判定する。判定後、ユーザによる操作が必要な場合にも、この時点ではイベント処理を行わず、まず録画を開始する。録画開始処理終了後、予約録画処理の結果を判定し、予約情報を更新する。
【００４３】
これにより予約録画開始時の対象番組がユーザによる処理を必要とするものであった場合にも、予約録画の開始を保証することができる。
【００４４】
また、予約情報の更新後、予約選局した番組に対し再選局を実行し、もう一度イベントに関する判定を行うことで、ユーザによる操作が必要な場合は、予約録画開始後にダイアログ提示等の処理を行なうこともできる。
【００４５】
【発明の実施の形態】
以下、本発明によるデジタルデータ記録再生装置について、図示の実施の形態により詳細に説明する。
【００４６】
図１は、本発明によるデジタルデータ記録再生装置の第１の実施形態で、ここで、１２はイベント判定部であり、その他、予約テーブル１と予約管理部２、選局制御部３、チューナ４、録画制御部５、テープ制御部６、予約状況監視部７、選局成否判定部、イベント監視部９、イベント処理部１０、それに選局結果管理部１１は、図８で説明したデジタル放送録画装置の場合と同じである。
【００４７】
従って、この図１の実施形態は、図８で説明したデジタル放送録画装置にイベント判定部１２を付加したものに相当する。そして、このイベント判定部１２を設けたことにより、この第１の実施形態は、予約録画開始処理の過程ではイベントを無視するようにしたものである。
【００４８】
次に、この図１の実施形態による処理について説明すると、まず、予約管理部２は、予約テーブル１が管理している予約情報と時刻情報により予約録画に関する処理を開始し、選局制御部３にチャンネルを通知し、チューナ４に指定された番組の選局を行わせる。そして、選局終了後、選局制御部３は選局成否判定部８に選局終了を通知する。
【００４９】
選局成否判定部８は、チューナ４からの情報に基づいて選局の成否を判定し、それをイベント監視部９に通知し、これによりイベント監視部９はチューナ４からの番組情報に基づいて選局した番組にイベントがあるか否かを監視し、結果をイベント判定部１２に通知する。
【００５０】
このときのイベント監視部９による具体的な処理について説明すると、チューナ４から供給されるトランスポートストリームＴＳから、放送に関する情報（ＰＡＴやＰＭＴなどと呼ばれている）を持つパケットを抽出し、これから受信中の放送に関する情報テーブルを作成し、このテーブルから受信中の番組に存在するイベントの種類（例えばＰＰＶ放送、視聴年齢制限放送など）と関連情報（例えば当該番組の視聴価格、制限年齢など）を知り、これをイベント判定部１２に通知するのである。
【００５１】
そこで、イベント判定部１２は、予約管理部２から選局処理に関する情報を取り込み、現在の選局処理が番組予約によるものか否かを判定する。そして、この判定結果に応じて処理を変更する。
【００５２】
すなわち、まず、現在の選局処理が番組予約によるもので無かった場合、つまり非予約選局であった場合は、イベント処理指示をイベント処理部１０に通知する。他方、現在の選局処理が番組予約によるものであった場合、つまり番組予約選局であった場合は、イベント処理部１０には何も通知しないのである。
【００５３】
イベント処理部１０は、このイベント処理指示が受信されたとき、選局結果管理部１１からの情報に基づいて、当該イベントに必要とする処理を行なう。例えばＰＰＶ放送や視聴年齢制限放送などの場合は、ユーザによる番組購入の有無など、ユーザの意志表示に必要なユーザインターフェイスを提示し、ユーザによる入力を要求するのである。
【００５４】
ここで、このイベント処理とは、以下の通りである。
【００５５】
Ａ．
受信中の番組が未購入のＰＰＶ番組であった場合は、当該番組の購入を希望するか否かを、ダイアログを表示してユーザに問い合わせる処理。
【００５６】
Ｂ．
ユーザがタイアログを操作して購入するとの意志を示した場合、ＩＣカード入力インターフェースやモデムを制御して番組を購入する処理。
【００５７】
Ｃ．
ＩＣカード入力インターフェースやモデムの制御が無事終了した段階でイベント処理の成功と判断し、ＩＣカードが挿入されなかったなどの理由で、番組購入処理が得られなかった場合は、イベント処理が失敗したと判断する処理。
【００５８】
Ｄ．
ユーザがダイアログを操作して購入しない意志を示した場合や、一定時間、ダイアログ操作がなされなかった場合は、イベント処理は失敗したものと判断する処理。
【００５９】
こうしてイベント処理の成否が判断できたら、イベント処理部１０は、この処理結果を、イベントの種類や購入価格、解除された年齢などの情報と共にイベント判定部１２に通知するのである。
【００６０】
ここで、イベント判定部１２は、イベント処理指示をイベント処理部１０に通知した場合、つまり非予約選局であった場合は、イベント処理部１０から受けた結果をそのまま選局結果管理部１１に報告し、通知しなかった場合、つまり番組予約選局の場合は、選局が成功したものとし、それを選局結果管理部１１に報告する。
【００６１】
そこで、選局結果管理部１１は、イベント判定部１２から受けた報告に基づいて、自己が管理している選局結果に係るデータベースを更新し、その後、選局が成功した場合は録画制御部５に録画開始を指示し、選局が失敗した場合は予約状況監視部７に予約録画処理の失敗を通知する。
【００６２】
そして、録画制御部５は、選局の成功を受けたときテープ制御部６に録画開始を指示する。そこで、テープ制御部６は記録媒体を制御して、選局した番組の録画を開始し、録画開始処理の結果を録画制御部５に報告する。
【００６３】
このときの録画開始処理の結果とは、テープ制御部６による記録媒体に対する記録開始処理の成否判定の結果のことで、例えば記録媒体が故障していたときや記憶容量に残りが無いときには、記録開始処理が失敗したことになる。
【００６４】
これにより、録画制御部５から録画開始処理結果が予約状況監視部７に報告され、ここで予約録画処理の成否が判定され、判定結果が予約テーブル１に反映される。
【００６５】
従って、この第１の実施形態では、予約設定された番組については、それがたとえイベントなどユーザによる処理を必要とする番組であったとしても、図２の処理▲１▼→処理▲２▼→処理▲５▼→処理▲６▼に示すように、そのまま予約録画が開始されることになる。
【００６６】
そして、この結果、この第１の実施形態によれば、例えば緊急放送や臨時放送を要する事態が発生したことによる番組変更などにより、予約設定時に想定していなかった番組に変更されていた場合でも、常に確実に予約録画を得ることができる。
【００６７】
次に、図３により、本発明によるデジタルデータ記録再生装置の第２の実施形態について説明する。
【００６８】
この図３において、１３は予約時再選局部であり、その他、予約テーブル１と予約管理部２、選局制御部３、チューナ４、録画制御部５、テープ制御部６、予約状況監視部７、選局成否判定部、イベント監視部９、イベント処理部１０、選局結果管理部１１、それにイベント判定部１２は、図１で説明した第１の実施形態の場合と同じである。
【００６９】
従って、この第２の実施形態は、第１の実施形態の構成に予約時間再選局部１３を付加したものに相当し、この結果、予約テーブル１が管理している予約情報と時刻情報により、予約管理部２が予約録画を開始してから、テープ制御部６が記録媒体を制御して選局した番組の録画を開始するまでの処理は、図４の処理▲１▼→処理▲２▼→処理▲５▼→処理▲６▼に示すように、図１の第１の実施形態の場合と同じである（図２参照）。
【００７０】
しかして、この図３の第２の実施形態では、テープ制御部６が記録媒体を制御して選局した番組の録画を開始し、録画開始処理の結果を録画制御部５に報告したとき、録画制御部５は、報告された録画開始処理の結果を予約状況監視部７に通知するのではなく、予約時再選局部１３に通知し、予約時再選局部１３から録画開始処理の結果が予約状況監視部７に通知されるようになっている。
【００７１】
しかも、このとき、予約時再選局部１３は、録画開始処理の結果を予約状況監視部７に通知すると共に、更にこのとき、録画開始処理の結果が成功であったときは、選局制御部３に、予約選局したチャンネルに対する再選局を指示する（図４の▲７▼）。
【００７２】
他方、このときの録画開始処理の結果が失敗であったら、選局制御部３にはなにも通知せず、予約状況監視部７に結果を通知するだけとする。
【００７３】
そして、選局制御部３は、上記した予約時再選局部１３からの再選局指示を受けたとき、今度はチューナ４を制御せず、予約選局時と同じチャネルにしたままで選局成否判定部８に選局終了を通知する。従って、このときの処理は予約選局処理ではなく、非予約選局処理となる。
【００７４】
そして、まず、選局成否判定部８は、チューナ４からの情報に基づき、現在の視聴状態から選局の成否を判定し、判定結果をイベント監視部９に通知する。そこで、イベント監視部９はチューナ４からの番組情報に基づいて、予約選局した番組にイベントがあるか否かを再判定し（図４の▲８▼）、その結果をイベント判定部１２に通知する。
【００７５】
以後の処理は、図１の実施形態と同様で、まず、イベント判定部１２は、選局結果管理部１１が管理する選局状況の情報に基づいて、検知したイベントがユーザによる操作を必要とするか否かを判定し、判定結果をイベント処理部１０に通知する。
【００７６】
イベント処理部１０は、イベント判定部１２からの通知を受け、いま発生したイベントが、ユーザによる操作を必要とするイベントであった場合は、ダイアログ表示などのユーザ操作に関する処理を行い（図４の▲９▼）、結果をイベント判定部１２に報告する。
【００７７】
イベント判定部１２は、イベント処理部１０から受けた報告を選局結果管理部１１に通知する。そして、この通知を受けた選局結果管理部１１は、自己が管理する選局結果のデータベースを更新するのである。
【００７８】
従って、この第２の実施形態の場合、流れの中の選局処理ではイベント処理を行わず、録画開始後に、選局処理を、今度は予約選局ではなく、通常の選局（非予約選局）としてやり直し、ここでイベント処理が実行されることになる。
【００７９】
ここで、図１で説明した第１の実施形態の場合、上記したように、予約録画に際してはイベントが無視されるので、確かに予約録画の開始は保証される。しかし、予約録画がユーザによる操作を必要とするイベントに関するものであった場合、例えばＰＰＶ番組などの場合、録画はされるが、再生はできない。
【００８０】
一方、この図３の第２の実施形態では、予約情報の更新後、予約選局した番組に対して再選局を実行し、もう一度イベントに関する判定を行なって、予約録画開始後にダイアログ提示などのイベント処理が行なえることになり、ユーザによる操作が必要な場合にも対処できる。
【００８１】
従って、この図２に示した第２の実施形態によれば、例えばＰＰＶ番組など、予約録画がユーザによる操作を必要とするイベントに関するものであったときでも、確実に録画して再生することができる。
【００８２】
ここで、この第２の実施形態では、予約選局時にイベントの有無を記録して予約録画開始後にイベント処理を行うのではなく、再選局を行ってイベントに関する再判定を行なっており、この結果、録画処理の間に対象番組がユーザによる処理を必要としなくなっている場合にも対処することができる。
【００８３】
次に、本発明によるデジタルデータ記録再生装置の第３の実施形態について、図５により説明する。
【００８４】
この図５の実施形態において、１４は選局制御部βで、１６は選局結果報告部であり、その他、予約テーブル１、予約管理部２、選局制御部３、チューナ４、録画制御部５、テープ制御部６、予約状況監視部７、選局成否判定部８、イベント監視部９、イベント処理部１０、選局結果管理部１１、それに予約時再選局部１３は、図３で説明した第２の実施形態の場合と同じである。
【００８５】
従って、この第３の実施形態は、第２の実施形態において、イベント判定部１２を除き、これに代えて選局制御部β１４を予約時再選局部１３とイベント処理部１０の間に付加し、選局結果報告部１５をイベント監視部９と選局結果管理部１１の間に付加したものに相当する。
【００８６】
次に、この図５の実施形態による処理について説明すると、まず、予約管理部２は、予約テーブル１が管理している予約情報と時刻情報により予約録画に関する処理を開始し、選局制御部３にチャンネルを通知し、チューナ４に指定された番組の選局を行わせる。そして、選局終了後、選局制御部３は選局成否判定部８に選局終了を通知する。
【００８７】
選局成否判定部８は、チューナ４からの情報に基づいて選局の成否を判定し、それをイベント監視部９に通知し、これによりイベント監視部９はチューナ４からの番組情報に基づいて選局した番組にイベントがあるか否かを監視する。
【００８８】
これまでの処理は、図１の第１の実施形態及び図３の第２の実施形態の場合と同じであるが、ここで、この図５の第３の実施形態の場合は、イベント監視部９による監視結果を、イベント判定部１２ではなく、選局結果報告部１５に通知するのである。
【００８９】
この点を除けば、予約テーブル１が管理している予約情報と時刻情報により、予約管理部２が予約録画を開始してから、テープ制御部６が記録媒体を制御して選局した番組の録画を開始するまでの処理は、図４の処理▲１▼→処理▲２▼→処理▲５▼→処理▲６▼に示すように、図１の第１の実施形態及び図３の第２の実施形態の場合と同じである。
【００９０】
しかして、この後、この図５の第３の実施形態では、テープ制御部６が記録媒体を制御して選局した番組の録画を開始し、録画開始処理の結果を録画制御部５に報告したとき、録画制御部５は、報告された録画開始処理の結果を予約時再選局部１３に通知し、予約時再選局部１３から録画開始処理の結果が予約状況監視部７に通知されるようにすると共に、更に予約時再選局部１３から選局制御部β１４にも通知されるようになっている。
【００９１】
このとき、予約時再選局部１３は、録画開始処理の結果が成功であったとき、選局制御部β１４に、保留してあったイベント処理の実行を指示し、失敗であったときは、選局制御部β１４に対する上記指示は行わず、予約状況監視部７に対する録画開始処理結果の通知だけ実行する。
【００９２】
ここで、選局制御部β１４は、予約時再選局部１３から指示されたイベント処理の実行を受けた場合は、選局報告部１５から供給された受信をそのままイベント処理部１０に供給する。
【００９３】
一方、選局結果報告部１５は、イベント監視部９から供給された情報をそのまま選局制御部β１４に供給し、イベント処理が成功したとき、その結果を選局結果管理部１１に通知するのである。
【００９４】
従って、この図５の第３の実施形態によれば、イベント処理のタイミングが、予約録画のときだけ、選局処理実行中から録画開始後に移されることになり、この結果、この図５に示した第３の実施形態によっても、例えばＰＰＶ番組など、予約録画がユーザによる操作を必要とするときでも、確実に録画して再生することができる。
【００９５】
なお、以上に説明した実施形態では、テープ制御部６が用いられているが、本発明はデータ記録方式に限定されるものではなく、従って、デジタルデータが記録再生可能なら、記録部の記憶媒体としては、磁気テープに限らず、任意の記憶媒体により実施することができるものである。
【００９６】
【発明の効果】
本発明によれば、予約録画開始時の対象番組が予約設定時と異なっていても、予約録画を得ることができる。
【図面の簡単な説明】
【図１】本発明によるデジタルデータ記録再生装置の第１の実施形態を示すブロック図である。
【図２】本発明の第１の実施形態による処理を説明するための流れ図である。
【図３】本発明によるデジタルデータ記録再生装置の第２の実施形態を示すブロック図である。
【図４】本発明の第２の実施形態による処理を説明するための流れ図である。
【図５】本発明によるデジタルデータ記録再生装置の第３の実施形態を示すブロック図である。
【図６】従来の予約録画機能付アナログ画像記録装置の一例を示す機能ブロック図である。
【図７】従来のデジタル放送受信装置の一例を示す機能ブロック図である。
【図８】従来のデジタル放送受信機と録画機を組み合わせた場合の一例を示す機能ブロック図である。
【図９】従来のデジタル放送受信機と録画機を組み合わせた場合の一例による処理を説明するための流れ図である。
【符号の説明】
１  予約テーブル
２  予約管理部
３  選局制御部
４  チューナ
５  録画制御部
６  テープ制御部
７  予約状況監視部
８  選局成否判定部
９  イベント監視部
１０  イベント処理部
１１  選局結果管理部
１２  イベント判定部
１３  予約時再選局部
１４  選局制御部β
１５  選局結果報告部
【図１】
2005006011.tif 000003
【図２】
2005006011.tif 000004
【図３】
2005006011.tif 000005
【図４】
2005006011.tif 000006
【図５】
2005006011.tif 000007
【図６】
2005006011.tif 000008
【図７】
2005006011.tif 000009
【図８】
2005006011.tif 000010
【図９】
2005006011.tif 000011